(57)【要約】【課題】  ペットハウスやペットベッド等に上掛けを装着し、ペットがペットハウスやペットベッドに入るとペットが上掛けに包まれ、寒さを防ぐことができるペットハウスを提供する。【解決手段】  ペットハウスの入口およびペットハウスの敷物に、ペットハウスやペットベッドの底面より大きな上掛けを装着し、ペットが入口からペットハウスやペットベッドに入ると、上掛けがペットの体を包むようになり、ペットを寒さから防ぐことができることを特徴とする上掛け付きペットハウス。【選択図】図６
2009165454.tif 000002
【特許請求の範囲】
【請求項１】
ペットハウス（１）に上掛け入口装着部（６）を設け、ペットハウス底面（３）に敷物（８）を設け、上掛け入口装着部（６）と敷物（８）に上掛け（５）を取付けたことを特徴とする上掛け付きペットハウス。
【請求項２】
ペットハウス（１）に上掛け入口装着部（６）を設け、ペットハウス低部に上掛け装着部（１１）を設け、上掛け入口装着部（６）と上掛け装着部（１１）に上掛け（５）を取付けたことを特徴とする上掛け付きペットハウス。
【発明の詳細な説明】
【技術分野】
【０００１】  本発明はペットハウスやペットベッドの底面より大きいサイズの上掛けをペットハウスやペットベッドの入口の周りから敷物の周りに取付け、ペットがハウスに入ると上掛けがペットの体を覆い、寒さからペットを守ることができるペットハウスに関するものである。
【背景技術】
【０００２】  従来、ペットの寒さ除けには暖かい起毛などの材質で作られたペットハウスやベッドがあった。
また、寝袋式のベッドがあった。
また、ペット用のシート型ヒーターや蓄熱式のシートがあった。
【発明の開示】
【発明が解決しようとする課題】
【０００３】  しかし、これらは次のような問題点があった。
（イ）暖かな起毛材料で作られているペットハウスやペットベッドは、ペットの体全体がハウスに密着しないので、寒気を完全に除けることができず寒かった。
（ロ）寝袋式のペットベットは窮屈なため、ペットがベッドに入りたがらないことが多い。
（ハ）シート型ヒーターは電気を使うため、電気代がかかる。
また、家人が外出するときにはスイッチを切って出かけるため、その時、寒い。
（ニ）蓄熱式のシートは電気代がかからないが、ペットの体がシートに触れている部分だけが少し温かくなるだけで、夜間など寒さの厳しいときには寒気を防ぎきれない。
本発明は、これらの問題点を解決するためになされたものである。
【課題を解決するための手段】
【０００４】  ペットハウスやペットベッドの入口周り、あるいは、入口より高いところに上掛け入口装着部を設ける。
また、ペットハウスやペットベッドの底面に、上掛け装着部を設けた敷物を設ける。
ペットハウスやペットベッドの底面よりも縦も横も大きくペットがゆったりと中に入ることができる大きさの上掛けの一辺を、上掛け入口装着部に取付ける。
残りの上掛けの辺を敷物の周り上掛け敷物装着部に取付け、ペットがペットハウスやペットベッドの中に入ると上掛けがペットの体を覆い、ペットが上掛けに包まれるようになることを特徴とする上掛け付きペットハウスおよびペットベッド。
【発明の効果】
【０００５】  上掛けはペットハウスやペットベッドの底面よりも縦も横も大きいため、ペットがペットハウスやペットベッドの入口から中に入ると上掛けがペットの体に密着し、ペットは毛布にもぐっているような状態になり、冷気も防げて暖かく、体が包まれている状態のため安心できる。
上掛けがペットハウスやペットベッドの底面よりも大きいため、ペットは上掛けの中で、自由に体を動かすことができる。
上掛け付きペットハウスにすれば冷気は二重に防げて、さらに暖かい。
上掛けは取外しできるようにしておけば、洗濯もできるし、夏季には取外して、普通のペットハウスやペットベッドとして使える。
ペットの体は敷物と上掛けだけに接触するため、ペットハウスやペットベッドの材質は特に暖かい材質のものでなくてもいいため、上掛けをはずして夏季にも使用できる。そのため、冬用と夏用のペットハウスやペットベッドを用意しなくてもよい。
ペットハウスは屋根を取外しできるようにしておくと、上掛けや敷物の取外しが楽であり、屋根部分を取外せば、夏涼しくできる。
また、ペットハウスにすれば上掛けがペットハウスの入口を囲んでいるため、ペットが上掛けの上に乗ってしまう心配がない。
上掛けは、辺をペットハウスやペットベッドの入口や敷物に取付けてあるため、ペットがハウスやベッドの中に入り、どんなに動いても常に上掛けの中にいることになり暖かい。
【発明を実施するための最良の形態】
【０００６】  以下、本発明の実施の形態についてペットハウスを例として説明する。
（イ）ペットハウスの底面（３）より、縦も横も大きな上掛け（５）の端の一辺をペットハウスの入口（４）の周りを囲むように設けられた上掛け入口装着部（６）に面ファスナーやスナップなどで取付け、残りの上掛けの辺をペットハウスの敷物（８）の周りに設けられた上掛け敷物装着部（７）に面ファスナーやスナップなどで取付ける。
このとき、敷物（８）よりも上掛け（５）の方が大きいため、上掛け（５）の辺は敷物（８）の辺よりも長くなり、敷物（８）にたるませて上掛け（５）を取付けるようになる。
上掛け（５）は面ファスナーやスナップ等で取外し可能にすれば、汚れたら洗濯もでき、夏季など暑いときは取外して普通のペットハウスとして使用できる。
上掛け（５）は敷物（８）の裏に取付けると、上掛け（５）が敷物（８）を包むようになり、さらに冷気は防げる。
（ロ）上掛け（５）や、敷物（８）の取付けや取外しがしやすいように、ペットハウスの屋根（２）部分は、取外しができるようにする。
ペットハウスの屋根（２）を取外し可能にすると、夏季など、暑いときには屋根部分（２）を取外すことにより、涼しくなる。
本発明は以上のような形態からなり、これを使用するときは、普通のペットハウスと同じように、ペットの好む場所に置くだけでよい。
ペットハウスの入口（４）からペットが入るとペットの体が上掛け（５）に密着するため上掛け（５）に包まれているような状態になり暖かく、また、体が囲まれているため安心する。
また、ペットハウスの入口（４）を上掛け（５）で囲んでいる為に、ペットがペットハウスの入口（４）からペットハウス（１）の中に入れば、上掛け（５）の上に乗ってしまうことはない。
必ず上掛け（５）の中に包まれる状態になり、ペットハウス（１）が暖かいことがペットにすぐわかる。
また、上掛け（５）はペットハウス入口（４）や敷物（８）に取付けられているために、ペットがペットハウス（１）の中で、どんなに動いても上掛け（５）がずれて、ペットの体が上掛け（５）から出てしまうことはなく、常に上掛け（５）に包まれていることになり、暖かい。
【実施例１】
【０００７】  ペットハウス入口（４）部分の上掛け装着部は、ペットの体が上掛け（５）の外に出てしまわないようにすればよく、必ずしもペットハウス入口（４）全部を囲まなくてもよく、入口（４）より上部に取付けてもよい。
【実施例２】
【０００８】  上掛け（５）は敷物（８）に取付けなくても、［図７］や［図８］のようにペットハウス（１）の低部に、上掛け装着部（１１）を設けて取付けてもよい。
ペットの体は上掛け（５）に包まれることになる。
敷物（８）が傷んでも好みの敷物に取り替えることができる。
また、ペットハウスの底面（３）を暖かい材質にすれば敷物（８）を使用しないことも可能である。
【図面の簡単な説明】
【０００９】
【図１】本発明品の断面図
【図２】本発明品にペットが入っている断面図
【図３】本発明品の上掛け平面図
【図４】本発明品の敷物平面図
【図５】本発明品の入口部分図
【図６】本発明品にペットが入った一部切り欠き斜視図
【図７】本発明品の実施例断面図
【図８】本発明品の実施例断面図
【符号の説明】
【００１０】  １．ペットハウス
２．ペットハウス屋根
３．ペットハウス底面
４．ペットハウス入口
５．上掛け
６．上掛け入口装着部
７．上掛け敷物装着部
８．敷物
９．入口への装着部
１０．敷物への装着部
１１．上掛け装着部
【図１】
2009165454.tif 000003
【図２】
2009165454.tif 000004
【図３】
2009165454.tif 000005
【図４】
2009165454.tif 000006
【図５】
2009165454.tif 000007
【図６】
2009165454.tif 000008
【図７】
2009165454.tif 000009
【図８】
2009165454.tif 000010